(57)【要約】【課題】金融機関が小切手を交付する時に小切手内にその小切手のＩＤ情報と振出人の生体情報を予め記録しておくことで、偽造やなりすましを困難にし、セキュリティを確保する。【解決手段】小切手内に小型のＩＣを埋め込み、金融機関が小切手を交付する時に小切手内にその小切手のＩＤ情報と交付先である振出人の生体情報を予め記録しておく。ＩＣの記憶域にはＰＲＯＭまたはＲＯＭを用い、一度書き込まれた情報は改ざん不能とする。金融機関内では、前もって、小切手に記録されたＩＤ情報と当該振出人の生体情報を関連付けしてＤＢとして保管しておく。当該小切手が当該金融機関に持ち込まれた時は小切手内に記録された情報と、ＤＢに保管していた情報とで比較または認証処理を行ない、偽造や不正使用でないかを確認できるようにする。【選択図】図６
2007156664.tif 000002
【特許請求の範囲】
【請求項１】
非接触型ＩＣに情報を読み書きが可能なリーダ/ライタ装置と、生体情報センサと、前記リーダ/ライタ装置および生体情報センサと接続して、当該リーダ/ライタ装置および生体情報センサを制御し、生体情報とID情報を記憶し、生体認証プログムおよび暗号処理プログラムを内蔵したコンピュータから構成されるシステムにおいて、金融機関内に前記システムを設置しておき、
情報の追記が可能で且つ、一度記録された情報は修正不能である小型の非接触I型Cが内蔵された小切手を用意し、
当該小切手内の非接触型IC内にそれぞれ固有のＩＤ情報を予め記憶させておき、当該小切手の交付時に、交付する複数の小切手のそれぞれのＩＤ情報を、交付先本人を特定できる情報と関連付けしてコンピュータ内に予め登録しておき、
生体情報センサによって、交付先である小切手振出人本人の生体情報を取得し、前記生体情報を暗号化し、交付先本人を特定できる情報と関連付けてコンピュータ内に登録しておき、
当該交付先に交付する全ての小切手に内蔵された全ての非接触型ＩＣ内に、暗号化された前記生体情報を暗号化して記録しておき、
受取人が、金融機関に前記小切手を持ち込んだとき、前記小切手に内蔵されたＩＣから小切手のＩＤ情報と、暗号化された振出人の生体情報をリーダ/ライタ装置により読み出し、当該コンピュータにより暗号を復号化し、予め当該コンピュータ内に記録されていたＩＤ情報と、生体情報を検索し、生体情報については生体認証処理を行ない、当該小切手の振出人が、当該小切手に表記されている振出人と同一であるかどうかの確認が容易に行なえることで、当該小切手が真正であるかどうか判定できることを特徴とする、ＩＣを用いた小切手の真正確認方法。
【請求項２】
前記請求項１において、前記システムを小切手振出人が所在する場所にも設置しておき、小切手振出時に、受取人の生体情報を生体情報センサより読み取り
これを暗号化し小切手に内蔵された非接触型ＩＣ内に記録し、
受取人が、前記小切手を金融機関に持ち込んだとき、前記小切手に内蔵されたＩＣから小切手の交付時に予め記録されていた小切手のＩＤ情報および暗号化された振出人の生体情報と、小切手の振出時に記録された受取人の生体情報をリーダ/ライタ装置により読み出し、暗号化された情報については復号化処理を行ない、予め当該コンピュータ内に記録されていたＩＤ情報と生体情報を検索し、生体情報については認証処理を行ない、振出人が同一であるかを判定し、
金融機関内のシステムに接続された生体情報センサから受取人の生体情報を取得し、当該小切手に記録された受取人の生体情報と一致するか否かの生体認証処理を行ない、当該小切手の振出人および受取人が、当該小切手に表記されている振出人および受取人とそれぞれ同一であるかどうかの確認を容易に行なえることで、当該小切手が真正であるかを判定できることを特徴とする、ＩＣを用いた小切手の真正確認方法。
【請求項３】
前記、請求項２において、小切手の振出時に、振出人の生体情報と受取人の生体情報を生体情報センサから読み取り、２つの生体情報を合わせてこれを一緒に暗号化し、小切手に内蔵された非接触型ＩＣ内に記録し、
受取人が、前記小切手を金融機関に持ち込んだとき、前記小切手に内蔵されたＩＣから小切手の交付時に予め記録されていたＩＤ情報と暗号化された振出人の生体情報、および、小切手の振出時に記録された受取人および振出人の暗号化された生体情報をリーダ/ライタ装置より読み出し、暗号情報は復号化処理を行ない、予め当該コンピュータ内に記録されていたＩＤ情報と生体情報を検索し、生体情報については認証処理を行ない、小切手内のＩＣに記録されている２つの振出人の生体情報がそれぞれ同一であるかを判定し、
金融機関内のシステムに接続された生体情報センサから受取人の生体情報を取得し、当該小切手内のＩＣに記録された受取人の生体情報と一致するか認証処理を行ない、当該小切手の振出人および受取人が、当該小切手に表記されている振出人および受取人とそれぞれ同一であるかどうかの確認を容易に行なえることで、当該小切手が真正であるかを判定できることを特徴とする、ＩＣを用いた小切手の真正確認方法。
【請求項４】
前記、請求項３において、小切手の振出時に、システムから入力した振出金額情報と、生体情報センサから入力された受取人の生体情報と振出人の生体情報の、３つの情報を合わせてこれを一緒に暗号化し、小切手に内蔵された非接触型ＩＣ内に記録し、
受取人が、前記小切手を金融機関に持ち込んだとき、前記小切手に内蔵されたＩＣから小切手の交付時に予め記録されていたＩＤ情報と暗号化された振出人の生体情報、および、小切手の振出時に暗号化し記録された受取人、振出人それぞれの生体情報および振出金額情報をリーダ/ライタ装置より読み出し、暗号情報については復号化処理を行ない、予め当該コンピュータ内に記録されていたＩＤ情報と生体情報を検索し、生体情報については認証処理を行ない、小切手内のＩＣに記録されている２つの振出人の生体情報がそれぞれ同一であるかを判定し、
金融機関内のシステムに接続された生体情報センサから受取人の生体情報を取得し、当該小切手内のＩＣに記録された受取人の生体情報と一致するか認証処理を行ない、当該小切手の振出人および受取人が、当該小切手に表記されている振出人および受取人および振出金額がそれぞれ同一であるかどうかの確認を容易に行なえることで、当該小切手が真正であるかを判定できることを特徴とする、ＩＣを用いた小切手の真正確認方法。
【発明の詳細な説明】
【技術分野】
【０００１】
本発明は、コンピュータシステムおよび小切手内に組み込まれたＩＣ内の情報を利用して行なう小切手の振出および支払い方法に関し、特に、生体情報をＩＣ内に記録することで小切手の内容が真正であることを確認するのに好適な、小切手およびその内容の真正確認方法に関する。
【背景技術】
【０００２】
多額の支払を行なう場合、支払う方も受け取る方も事故・事件の危険があるため「支払証書（証券）」として小切手を用いる事があるが、小切手は、一般に紙で発行されるため、偽造が比較的容易であるというリスクが存在していた。受取人が金融機関に小切手を持ち込んだ場合、金融機関では、持ち込まれたその小切手が真正であるかどうかを確認するために受取人を長時間待たせてしまうケースも存在していた。前記背景より日本国内において小切手は一般的に法人間での取引に用いられているが、個人間の取引や買い物での支払手段として利用される事は稀であった。また、各金融機関において小切手には偽造防止措置が図られているが、あくまでも紙というインフラの範囲内であり、電子的な方法でその真正性を証明したり、偽造防止措置は図られていなかった。
【発明の開示】
【発明が解決しようとする課題】
【０００３】
前述した従来の方法の場合、小切手内に隠し文字やＩＤ情報を印刷、または、透かし等を施し、一定の偽造防止措置を図ることは可能であったが、あくまでも紙の証券であるため、偽造や不正使用等の防止には限界があり、金融機関においても個人により持ち込まれた小切手については、その小切手が真正である事を確認するため一定の労力と時間を要する事が課題となっていた。この様な背景より、個人間での取引や買い物での支払手段としては日本国内では一般に普及していないという課題が存在する。
【課題を解決するための手段】
【０００４】
前述の課題を解決するため、本発明では図３に示すように、各小切手（３００１）の１枚１枚に、製造時に非接触型の小型ＩＣ（３００２）およびアンテナ（３００３）を埋め込んでおく。小切手に埋め込まれたＩＣの内部には、図５の５００２に示されるようなＰＲＯＭまたはＲＯＭの記憶域を持たせ、５００３に示されるようにその記憶域に各小切手１枚１枚を識別するためのＩＤ情報を予め登録して置く。前記ＩＤ情報の登録方法であるが、製造時に予めＲＯＭとしてＩＤ情報を作り込んでも良いし、当該記憶域がＰＲＯＭである場合は、小切手帳発行元である金融機関内で登録しても良い。但し、ＰＲＯＭまたはＲＯＭを用いて記憶するため、一度登録されたＩＤ情報は、再び書き換えを行なうことが出来ないようになっている。前述のＩＣの構造については、図５に示されるように、外部との情報入出力用のアンテナ（図５、５０１２）、Ｉ／Ｏ制御部（５０１１）、演算／制御部（５０１０）、記憶部（５００２、５００４）から構成され、相互には内部バス（５００９）で互いに接続されておりデータの記憶、および書き込み／読み出し処理が行なえる機能を有している。
【０００５】
小切手帳の発行元である金融機関内では、図１に示されるように金融機関（１００１）内にコンピュータ本体（１００３）、キーボードおよびディスプレィ装置（１００３）および、口座開設者の個人を特定するための情報や、前記口座開設者に対して交付した小切手を特定するための情報を保管するための、個人情報／小切手情報格納用記憶装置を設置する。これらを構成する情報処理システム内には、口座開設者、すなわち小切手の振出人または、その受取人が有する生体情報を暗号化・復号化するための暗号復号処理プログラム（１００７）が組み込まれてある。また、前記情報処理システムには、生体情報センサ（１００４）およびＩＣリーダ／ライタ装置（１００５）が接続されており、コンピュータ本体（１００３）内部には、接続された生体情報センサ（１００４）を制御するための生体情報センサ制御プログラム（１００８）と、生体情報センサ（１００４）により取得された生体情報が正しい情報であるかどうかを認証するための生体認証プログラム（１００９）、および、前記情報処理システムに接続されたＩＣリーダ／ライタ装置（１００５）を制御するためのＩＣリーダ／ライタ制御プログラム（１０１０）が組み込まれてある。
【０００６】
一方、前記金融機関から小切手帳の交付を受けた前記金融機関の口座開設者すなわち振出人のいる場所には、図２の２００１に示されるコンピュータ本体、そのキーボードおよびディスプレイ装置（２００２）および、生体情報センサ（２００３）を設置し、コンピュータ本体（２００１）の内部には、振出人またはその受取人が有する生体情報を暗号化・復号化するための暗号復号処理プログラム（２００４）が組み込まれ、また、接続された生体情報センサ（２００３）を制御するための生体情報センサ制御プログラム（１００８）と、生体情報センサ（１００４）により取得された生体情報が正しい情報であるかどうかを認証するための生体認証プログラム（２００６）が組み込まれてある。
【０００７】
まず、ある金融機関において、その金融機関に口座を開設している口座開設者に対して小切手帳を交付するとき、小切手帳を構成する小切手１枚１枚に組み込まれたＩＣ（図３、３００２）の内部に、それぞれの小切手を識別するためのＩＤ番号を図５の５００３に示される記憶域に記憶させておく。これは小切手の製造時にＲＯＭの形態で記憶させておいても良いし、当該金融機関が図１で示される情報処理システムにおいて１００５で示されるＩＣリーダ／ライタ装置を用いて記録しても良い。続いて、図１の１００４で示される生体情報センサから、当該小切手帳を交付する先である口座開設者、すなわち振出人の人体の一部の情報を生体情報として読み取る。この生体情報を暗号／復号処理プログラム（１００７）を用いて暗号化し、前記の小切手帳において当該小切手帳を構成する全ての小切手内に組み込まれたＩＣ（図３、３００２）に対し、図１、１００５で示されるＩＣリーダ／ライタ装置を用いて、図５の５００４に示される振出人の生体情報記憶域に記録する。この時の記録方法としては、図４を用いて以下に述べる。図４、４００１で示される複数の小切手（４００１）を束ねた小切手帳（４００４）を、図１、１００５で示されるＩＣリーダ／ライタ装置にセットし、図４の４００５で示されるＩＣリーダ／ライタ装置のアンテナから、４００４で示される小切手帳の各小切手のアンテナ（４００３）にデータが電磁波として伝えられ、図４、４００２で示されるＩＣチップ内の図５、５００４に示される振出人の生体情報記憶域に記録する。このとき、小切手帳を構成する各小切手に組み込まれたアンテナ（４００３）は、小切手のどの位置に配置されていても構わないが、アンテナ４００３の配置は、全ての小切手において製造時に同じ位置に配置する。前記方法によって複数の小切手、即ち、小切手帳の各小切手に対して同一の情報を同時に書き込むことが可能である。
【０００８】
一方、金融機関に設置された情報処理システム（図１）では、小切手へのデータ記録処理と同時に、当該小切手手帳の一連の小切手のＩＤ情報と、交付先である口座開設者即ち振出人を特定できる口座番号と氏名情報を関連付けし、図１０の１０００１〜１０００４デ示される小切手情報テーブルの形式で、図１、１００６で示される個人情報／小切手情報格納用記憶装置に格納される。ここで、１０００４で示される無効フラグ情報格納フィールドは、もしも、小切手帳の交付を受けた振出人が当該小切手帳を紛失し、交付元である当該金融機関にその旨が届けられたとき、図１に示される情報処理システムにより、交付した一連の小切手のＩＤ情報に対応するレコードの当該フィールドに、当該小切手が無効である旨の「on」という情報がセットされる。情報の内容は「ｏｎ」以外にも無効／有効が判別できれば、どのような内容であっても構わない。
【０００９】
また、口座開設者は、当該口座の開設時に、図１で示される情報システムにより、口座番号と関連付けして口座開設者本人の生体情報を生体情報センサから読み取り（図１、１００４）、図１１の１１００１、１１００２で示されるような生体情報テーブルの形式にて、図１、１００６に示される個人情報／小切手情報格納用記憶装置に格納される。この時に口座開設者本人の生体情報は、暗号化されていても暗号化されていなくてもどちらのケースであっても構わない。
【００１０】
次に、小切手の交付を受けた振出人のいる場所には、予め、図２に示される情報処理システムを設置しておき、振出人が受取人に対して小切手を振り出す時、図２、２００２で示されるキーボード（入力装置）から振り出す金額情報を入力し、２００３で示される生体情報センサに受取人本人の体の一部をセットしてもらい、２００６で示される生体情報センサ制御プログラムと生体情報センサによって、受取人本人の生体情報がシステム内に取り込まれる。
【００１１】
続いて振出人は、振出人自身の体の一部を２００３で示される生体情報センサにセットし、同様にして振出人自身の生体情報をシステム内に取り込む。
【００１２】
受取人本人および振出人自身の生体情報がシステム内に取り込まれた後、振出人は、前述によって金融機関から交付された小切手帳から任意の小切手１枚を切り離し、図２の情報処理システムの２００４で示されるＩＣリーダ／ライダ装置に当該小切手をセットし、小切手への書込み指示を行なう。書込み指示を受け付けたシステムは、予め取り込まれている受取人の生体情報と、振出人の生体情報と振出金額情報を、２００５で示される暗号／復号化プログラムにより、３つの情報を１つの情報単位として纏めて、これを暗号化し、２００７で示されるＩＣリーダ／ライタ制御プログラムによって、２００４のＩＣリーダ／ライダ装置を介して図５、５００６に示される小切手に内蔵されたＩＣ内の振出関連情報記憶域に記録する。ＩＣに情報が記録された後、当該ＩＣを有する小切手の表面に、振出人により、金額や振出人情報等必要な情報の書き込みが行なわれた後、受取人に手渡される。
【００１３】
当該小切手が前記受取人によって金融機関に持ち込まれた時、金融機関では、当該小切手を、ＩＣリーダ／ライタ装置（図１、１００５）にセットし、小切手のＩＣ内のＩＤ情報記憶域（図５、５００３）に記録された当該小切手のＩＤ情報および、振出人生体情報記憶域（５００５）に記録された当該小切手の振出人の生体情報および、振出関連情報記憶域（５００６）に記録された、暗号化されている受取人の生体情報と振出人の生体情報と振出金額情報を図１、１０１０で示されるＩＣリーダ／ライタ制御プログラムでそれぞれ読み出す。暗号化されている情報については、図１、１００７で示される暗号／復号処理プログラムによって復号化処理を行なう。
【００１４】
続いて、受取人は、小切手の振出時に登録した受取人本人の生体情報と同じである体の一部を、生体情報センサ（１００４）にセットし、図１、１００８で示される生体情報センサ制御プログラムによってその生体情報を読み出す。情報を読み出した後、図１の情報処理システムは、読み出した当該小切手のＩＤ情報をキーとして、個人情報／小切手情報格納用記憶装置（１００６）内の小切手情報テーブル（図１０）を検索し、当該ＩＤ情報を有する小切手が有効であるかどうかを、図１０、１０００４で示される無効フラグ情報により判定する。有効であれば、当該小切手の口座開設者の氏名情報（図１０、１０００２）および口座番号情報（図１０、１０００１）とＩＣの振出関連情報記憶域（図５、５００６）に記録されていた振出金額情報を、それぞれディスプレイ上（図１、１００３）に表示し、当該小切手に表記された振出人と同一であるかどうか、また、振出金額が正しいかどうかが当該金融機関の従業員によって容易に判定可能となる。
【００１５】
更に、ＩＣ内の振出人 生体情報記憶域（図５、５００５）に記録されていた振出人の生体情報と予め個人情報／小切手情報格納用記憶装置（１００６）内の生体情報テーブル（図１１）に登録されている当該振出人（口座開設者）の生体情報を生体認証プログラム（図１、１００９）により認証処理を行ない同一人物であるか判定する。加えて、ＩＣの振出関連情報記憶域（図５、５００６）から読み出した当該小切手の振出人の生体情報についても生体情報を生体認証プログラム（図１、１００９）により認証処理を行ない同一人物であるか判定する。
【００１６】
また、ＩＣの振出関連情報記憶域（図５、５００６）から読み出した振出人の生体情報と図１、１００４に示される生体情報センサから取得した振出人の生体情報を生体認証プログラム（図１、１００９）により認証処理を行ない同一人物であるか判定する。
【００１７】
以上に述べた方法において、もしも、振出人側で図２に示される情報処理システムが設置されていない場合には、金融機関においては、持ち込まれた小切手から、交付時点で記録されている当該小切手のＩＤ情報および振出人の生体情報を読み出し、これを同様に比較、または、認証を行なうことで、当該小切手が真正であることを確認することが可能である。
【００１８】
以上述べた方法によって、受取人により金融機関に持ち込まれた小切手について、それが真正であるかどうかを容易、且つ、厳格に判定を行なえるようになり、小切手の偽造リスクや受取人の成りすまし等のリスクを低減することができる。
【発明の効果】
【００１９】
本発明による方法を適用したシステムを提供した場合、小切手内にＩＣを埋め込み、小切手の交付時、状況によっては振出時に必要な情報を記録し、ＩＣ内に一度記録された情報は、書き換え不可能とし、金融機関内で予め登録・管理されている情報と突き合わせて認証処理を行なうことにより金融機関においては、持ち込まれた小切手の偽造や、盗難小切手の不正使用や、成りすましを未然に防止することが出来、また、受取人が正しいかどうかを容易に確認することが可能となる。また、振出人においては、盗難、紛失による不正使用等の被害を防ぐ事が可能になる。
【発明を実施するための最良の形態】
【００２０】
以下、本発明の実施の形態について、図６、図７、図８、図９のフローチャートにより詳細に説明する。
【００２１】
図６のフローチャートは、金融機関内において、当該金融機関で口座を開設した人に対し小切手帳を交付する際の、システムの動作を示したものである。金融機関において図１に示される情報処理システムに接続された生体情報センサ（図１、１００４）に、小切手帳を交付する予定の口座開設者、即ち小切手の振出人の体の一部が生体情報センサ（図１、１００４即ち、図６、６００１）にかざされた時、生体情報センサから当該口座開設者本人の生体情報が読み取られ、これをコンピュータ（図１、１００２）が受信する。コンピュータ側において、生体情報が入力されたことが確認されたら（図６、ステップ６００２）、次にＩＣが内蔵された小切手帳への当該生体情報の登録指示待ちとなり、ステップ６００６、ステップ６００７を繰り返す。ところで、前記のステップ６００２において、生体情報センサから生体情報が入力されて来なければ、入力されるまで待ち状態になる（ステップ６００３）。ステップ６００２に続き、もしもその後、キーボード６００４から、生体情報登録指示が入力された場合（６００５）、ステップ６００６でこれを検知し、入力された口座開設者本人の生体情報を暗号化し（ステップ６００８）、その後暗号化した当該生体情報をＩＣリーダ／ライタ装置（６０１０）に送信し、図４に示される形で当該小切手帳を構成する全ての小切手に内蔵されたＩＣに書き込みを行なう（ステップ６００９）。ここでは、小切手帳を構成する各小切手に内蔵されているそれぞれのＩＣ内には、予め小切手を識別するＩＤ情報が既に書き込まれていることを前提としている。図６に示される方処理が完了すると金融機関は当該小切手を前記口座開設者に交付する形となる。
【００２２】
次に、当該小切手帳の交付を受けた口座開設者、即ち振出人（以下、振出人として述べる）が、特定の金額を受け取る受取人に対して小切手を振り出す時における、振出人側に設置された情報処理システム（図２）の処理の流れについて図７のフローチャートに従って説明する。図２で示される振出人側に設置された情報処理システムにおいて、振出人は、受取人に対して、生体情報センサ（図２、２００３即ち、図７、７００３）に受取人の体の一部をかざすように促され、受取人身の体の一部が生体情報センサ（７００３）にかざされ、振出人により、キーボード（図２、２００２即ち、図７、７００４）から受取人の氏名などの当該生体情報の保持者を識別する情報が入力されると、当該受取人の生体情報およびこの生体情報の保持者情報即ち当該受取人を識別する情報が入力されたことをコンピュータ側では検知する（図７ステップ７００２、７００６、７００７）。もしも検知されない時は、入力待ちを続ける（ステップ７００１）。ステップ７００６において入力が検知されると、コンピュータ側では、入力された情報が振出人の生体情報か受取人の生体情報か、或いは、振出金額情報なのかを、入力された情報から判別し（ステップ７００６、７００７、７００８）、振出人の生体情報と受取人の生体情報と振出金額情報の全ての情報が入力されるまで入力待ちを続ける（ステップ７００１）。前記の受取人の生体情報取得処理と方法で振出人本人の生体情報と受取人本人を識別する情報についても生体情報センサ（７００３）とキーボード（７００４）によりコンピュータに入力される（図７ステップ７００２、７００６）。振出人本人によりキーボード（７００４）から振出金額情報が入力されると、これも同様にコンピュータ内に保持される（図７、ステップ７００５、７００６、７００７、７００８）。前記の受取人の生体情報とその識別情報、振出人の生体情報とその識別情報、振出金額情報の全ての情報の入力が完了すると、コンピュータは小切手のＩＣへの情報の書き込み指示待ちとなる（ステップ７００９、７０１１）。ここで振出人により、金融機関から交付された当該小切手帳から任意の小切手１枚を切り出しＩＣリーダ／ライタ装置（７０１４）に小切手がセットされ、キーボード（７００４）から当該振出人によってＩＣへの書き込み指示が入力された時（ステップ７０１０）、コンピュータはＩＣへの書き込み指示を受信すると（ステップ７０１１）、保持していた振出人の生体情報（および識別情報）、受取人の生態情報（および識別情報）、振出金額情報を、纏めて暗号化し、１つのデータファイルとして加工する（ステップ７０１２）。続いて、暗号化された前記情報は、ＩＣリーダ／ライタ装置（７０１４）を介して、小切手内のＩＣに書き込みを行なう（ステップ７０１４）。
【００２３】
次に、前記振出人から振り出された小切手を受け取った前記受取人により、当該小切手が前記金融機関に持ち込まれた時に、図１に示される当該金融機関内に設置された情報処理システムを用いて、持ち込まれた当該小切手の真正を確認する一連の処理の流れについて、図８および図９のフローチャートを用いて説明する。受取人により持ち込まれた当該小切手が、図１に示される情報処理システムのＩＣリーダ／ライタ装置（図１、１００５即ち、図８、８００５）にセットされ、当該金融機関の社員または行員によって、キーボード（図１、１００２即ち、図８、８００２）から、当該小切手に内蔵されたＩＣ内に記録された情報の読み出し指示がキーボード（図１、１００３即ち、図８、８００５）から入力されたとき、イベント待ち状態（図８、ステップ８００１、８００３）である金融機関内のコンピュータは、ＩＣからの読み出し指示イベントを検出し（ステップ８００３）、ＩＣリーダ／ライタ装置（図８、８００５）に対して、ＩＣ内に記録された当該小切手ＩＣ内のＩＤ情報記憶域（図５、５００３）に記録された当該小切手のＩＤ情報、振出人 生体情報記憶域（図５、５００５）に記録された振出人の生体情報、および、振出関連情報記憶域（図５、５００６）に記憶された、暗号化されている振出人の生体情報（およびその識別情報）、受取人の生体情報（およびその識別情報）、振出金額情報の読み出し指示を行なう（図８、ステップ８００４）。ＩＣリーダ／ライタは読み出し指示を受信し、当該小切手に内蔵されたＩＣから、前述の情報、即ち、当該小切手のＩＤ情報、交付時に記録された振出人の生体情報、および、振出時に記録された、暗号化されている振出人の生体情報（およびその識別情報）、受取人の生体情報（およびその識別情報）、振出金額情報を読み出し、コンピュータに情報を通知する（ステップ８００７）。読み出された一連の情報を受信するまでの間コンピュータ側は受信待ちとなる（ステップ８００６）。コンピュータが、ステップ８００７で返された一連の情報を受信すると（ステップ８００８）、受信した当該小切手のＩＤ情報をキーにして、個人情報／小切手情報格納用記憶装置（図１、１００６即ち、図８、８０１０）内に保持されている小切手情報テーブル（図８、８０１１即ち、図１０）から、当該小切手ＩＤ情報に対応した口座番号（図１０、１０００１）、口座開設者氏名（図１０、１０００２）、無効フラグ（図１０、１０００４）を検索する（ステップ８００９）。検索した結果、もしも情報がヒットしなければ、ディスプレイ画面（図１、１００３）に検索がヒットしなかった旨を表示し一連の処理を終了する（図８、ステップ８０１４）。ステップ８０１２において、検索した結果、情報がヒットすれば、検索結果から無効フラグ情報を取り出し、フラグ情報が無効、即ち、このケースでは「on」となっていないかを判定する（ステップ８０１３）。勿論、無効フラグ情報は有効か無効かを判別するための情報であるので、この目的を満たせばどのような情報形態であっても構わない。ステップ８０１３においてもしも無効、即ち「ｏｎ」となっていれば、ディスプレイ上に当該小切手が向こうである旨のメッセージを表示し、一連の処理を終了する（ステップ８０１４）。無効でなければ、図９で示されるフローチャートの処理に移り、前のステップで検索した結果情報の１つである、当該小切手の振出人の口座番号情報をキーにして、個人情報／小切手情報格納用記憶装置（図１、１００６即ち、図９、９００２）内に保持されている生体情報テーブル（図９、９００３即ち、図１１）から、当該口座番号に対応した当該口座開設者の生体情報（図１１、１１００２）を検索する（ステップ９００１）。
【００２４】
交付された小切手帳から任意の小切手１枚を切り出し、クレジットカード会社が所有または管理するコンピュータとのセッション終了処理を行ない（５００３）、一連の処理を終了する。検索した結果、もしも情報がヒットしなかったら（図９、ステップ９００４）、ディスプレイ画面（図１、１００３）上に検索がヒットしなかった旨を表示し、一連の処理を終了する（図８、ステップ８０１４）。ステップ９００４において、検索した結果、情報がヒットすれば、この生体情報をシステム内に保持しておき、前述の図８、ステップ８００７で検索した結果情報である、暗号化されている振出人の生体情報（およびその識別情報）、受取人の生体情報（およびその識別情報）、振出金額情報を復号化する（図９、ステップ９００５）。復号化した結果、得られた振出金額情報はディスプレイ上に表示し（ステップ９００６）、当該金融機関の社員（行員）が当該小切手に表記されている金額情報と相違ないかの確認作業を容易化にする。次に、ステップ９００１での検索の結果、得られた図１１の１１００２２に示される当該口座開設者の生体情報と、当該小切手のＩＣ内の振出人 生体情報記憶域（図５、５００５）に記録されていた生体情報とが一致するかどうかの、認証処理を行なう（図９、ステップ９００７）。認証の結果、失敗したときは（ステップ９００８）、ディスプレイ画面（図１、１００３）上に振出人の認証処理が失敗した旨を表示し、一連の処理を終了する（図８、ステップ８０１４）。図９、ステップ９００８において、認証が成功すれば、コンピュータは、生体情報センサ（図１、１００４即ち、図９、９０１１）から、当該小切手の受取人の生体情報の入力待ち状態となる（図９、ステップ９００９、９０１２）。前記受取人が、当該金融機関の情報処理システムの生体情報センサ（図１、１００４即ち、図９、９０１１）に体の一部をかざし、生体情報が入力されたとき（図９、ステップ９０１０、９０１２）、ステップ９０１０で入力された当該受取人の生体情報と、図８、ステップ８００７で読み出され、図９、ステップ９００５で復号化された受取人の生体情報とで一致するかどうかの認証処理を行なう（図９、ステップ９０１３）。認証の結果、失敗したときは（ステップ９０１４）、ディスプレイ画面（図１、１００３）上に振出人の認証処理が失敗した旨を表示し、一連の処理を終了する（図８、ステップ８０１４）。図９、ステップ９０１４において、認証が成功すれば、コンピュータは、ディスプレィ上に認証処理が成功した旨を表示し、一連の処理を終了する（図９、ステップ９０１５）。
【００２５】
以上述べた実施例では、小切手内に記録された、ＩＤ情報、交付時に記録された振出人の生体情報、小切手の振出時に記録された、受取人の生体情報、および振出人の生体情報、振出金額情報等の一連の情報を利用して、認証処理を行い、当該小切手が真正であるかの確認方法を示したものであるが、もしも、振出人側に図２に示されるような情報処理システムが存在しない場合には、小切手の交付時に、図５で示される各小切手のＩＣ内において予め図５、５００３のＩＤ情報記憶域に記録されている当切手のＩＤ情報、および、図５、５００５の振出人 生体情報記憶域に記録されている振出人の生体情報を用いて、認証処理を実施し、その他の情報に関する認証処理を省略したケースでも構わない、即ち当該小切手が真正であることが確認できることは言うまでもない。
【図面の簡単な説明】
【００２６】
【図１】本発明を実現するための、金融機関内に設置した情報処理システムの構成の一例を示した、システム構成図。
【図２】本発明を実現するための、振出人が管理する情報処理システムの構成の一例を示した、システム構成図。
【図３】本発明による、小切手の内部構造の一例を示した図。
【図４】本発明による、小切手帳へのデータ登録の実施の一例を示した図。
【図５】本発明による、小切手内に内蔵されたICの内部構造の一例を示した図。
【図６】本発明による、実施の一例を示すフローチャート。
【図７】本発明による、実施の一例を示すフローチャートの続き。
【図８】本発明による、実施の一例を示すフローチャートの続き。
【図９】本発明による、実施の一例を示すフローチャートの続き。
【図１０】本発明を実現するための、金融機関内の情報処理システムの管理する小切手情報テーブルの一例を示した図。
【図１１】本発明を実現するための、金融機関内の情報処理システムの管理する生体情報テーブルの一例を示した図。
【符号の説明】
【００２７】
１００１…金融機関、１００２…金融機関内に設置した情報処理システムのコンピュータ本体（ＣＰＵ装置）、１００３…キーボードおよびディスプレイ装置、１００４…生体情報センサ、１００５…ＩＣリーダ／ライタ装置、１００６…個人情報／小切手情報格納用記憶装置、１００７…暗号／復号処理プログラム、１００８…生体情報センサ制御プログラム、１００９…生体認証プログラム、１０１０…ＩＣリーダ／ライタ制御プログラム、２００１…振出人側に設置された情報処理システムのコンピュータ本体（ＣＰＵ装置）、２００２…キーボードおよびディスプレイ装置、２００３…生体情報センサ、２００４…暗号／復号処理プログラム、２００５…生体情報センサ制御プログラム、２００６…生体認証プログラム、３００１…小切手、３００２…非接触型ＩＣ、３００３…非接触型ＩＣ用アンテナ、４００１…小切手、４００２…非接触型ＩＣ、４００３…非接触型ＩＣ用アンテナ、４００４…小切手帳、４００５…ＩＣリーダ／ライタ装置に付随するデータ 読み書き用アンテナ、５００１…非接触型ＩＣ、５００２…小切手のＩＤ情報格納用記憶部（ＲＯＭまたはＰＲＯＭ）、５００３…ＩＤ情報記憶域、５００４…記憶部（ＰＲＯＭ）、５００５…振出人 生体情報記憶域、５００６…振出関連情報記憶域、５００７…内部バス、５００８…演算／制御部、５００９…Ｉ／Ｏ制御部、５０１０…アンテナ、１０００１…小切手情報テーブル内の口座番号情報格納フィールド、１０００２…小切手情報テーブル内の口座開設者氏名情報格納フィールド、１０００３…小切手情報テーブル内の小切手ＩＤ情報格納フィールド、１０００４…小切手情報テーブル内の無効フラグ情報格納フィールド、１１００１…生体情報テーブル内の口座番号情報格納フィールド、１１００２…生体情報テーブル内の口座開設者情報格納フィールド。
【図１】
2007156664.tif 000003
【図２】
2007156664.tif 000004
【図３】
2007156664.tif 000005
【図４】
2007156664.tif 000006
【図５】
2007156664.tif 000007
【図６】
2007156664.tif 000008
【図７】
2007156664.tif 000009
【図８】
2007156664.tif 000010
【図９】
2007156664.tif 000011
【図１０】
2007156664.tif 000012
【図１１】
2007156664.tif 000013